(57)【要約】【課題】給電部に接続された状態を維持可能なコネクタを提供すること。【解決手段】血圧測定装置充電用コネクタ２１０は、第１部材２２０と、血圧測定装置１に装着されたカーラ５の内面周面に設けられた引張カフ７４の内周面に当接する端面を有する突起２３２が形成され、第１部材２２０に対向する第２部材２３０と、第１部材２２０及び第２部材２３０を回転可能に連結する回転軸２４０と、第１部材２２０及び第２部材２３０を近接する方向に付勢する付勢部材２５０とを備える本体２１１と、カーラ５に設けられた給電端子８ｂに接続される、第１部材２２０における第２部材２３０側に設けられた接続端子２６０と、を備える。【選択図】      図１１
2020103633.tif 000002
【特許請求の範囲】
【請求項１】
手首に取り付けられる血圧測定装置に接続される血圧測定装置充電用コネクタであって、
第１部材と、前記手首の周方向に倣って湾曲するとともに、一端と他端とが離間して形成された、前記血圧測定装置に装着されたカーラの内面周面に設けられたカフの内周面に当接する端面を有する突起が形成され、前記第１部材に対向する第２部材と、前記第１部材及び前記第２部材を回転可能に連結する回転軸と、前記第１部材及び前記第２部材を近接する方向に付勢する付勢部材とを具備するクリップと、
前記カーラに設けられた給電端子に接続される、前記第１部材における前記第２部材側に設けられた端子と、
を具備する血圧測定装置充電用コネクタ。
【請求項２】
前記突起の端面は、前記カフの接触する面の当接する部位における接線方向に延びる平面、または、前記当接する部位に沿う曲面に構成される、請求項１に記載の血圧測定装置充電用コネクタ。
【請求項３】
前記端子および前記突起は、前記第１部材及び前記第２部材の回転方向に対向する、請求項１に記載の血圧測定装置充電用コネクタ。
【請求項４】
前記第１部材の前記第２部材側の面の、前記第１部材の中心を挟んで前記回転軸の反対側は、前記端子が前記給電端子に電気的に接続されたときに対向する前記カーラの外周面に沿う曲面に構成される、請求項１に記載の血圧測定装置充電用コネクタ。
【請求項５】
前記第２部材は、前記カーラの幅方向の移動を規制する壁部を備える、請求項１に記載の血圧測定装置充電用コネクタ。
【請求項６】
前記第１部材に設けられ、前記端子を前記第２部材側に付勢するばねを備え、
前記給電端子は、前記カーラの窪みに配置される
請求項１に記載の血圧測定装置充電用コネクタ。
【発明の詳細な説明】
【技術分野】
【０００１】
本発明は、血圧を測定する血圧測定装置の充電に用いられるコネクタに関する。
【背景技術】
【０００２】
血圧の測定に用いる血圧測定装置は、医療設備においてのみならず、家庭内においても、健康状態を確認する手段として利用されている。血圧測定装置は、例えば、カフを生体の上腕又は手首等に巻き付け、カフを膨張及び収縮させ、圧力センサによりカフの圧力を検出することで、動脈壁の振動を検出して血圧を測定する。
【０００３】
血圧測定装置は、例えば、カフとカフに流体を供給する装置本体とが一体に構成された所謂一体型と呼ばれるものが知られている。一体型の血圧測定装置は、例えば、装置本体に電源を供給する手段として二次電池を用いる。
【０００４】
このような血圧測定装置のように生体に固定される装置では、手首等の生体に固定するベルトに、二次電池の充電用のコネクタが接続される給電部を配置する構成が知られている（例えば、特許文献１参照。）。
【０００５】
また、血圧測定装置では、膨張時にカフが手首に密着することが求められる。そこで、膨張したカフを手首に密着させるために、カーラを用いる構成が知られている。
【先行技術文献】
【特許文献】
【０００６】
【特許文献１】特開２００３−１９４９７２号公報
【発明の概要】
【発明が解決しようとする課題】
【０００７】
上述のようにカーラを備える血圧測定装置では、カーラに給電部を配置する構成が考えられる。しかしながら、カーラが手首の周面に合わせて湾曲した形状に構成されることから、コネクタの、給電部に電気的に接続される姿勢が不安定になりやすく、結果、充電部及び給電部の電気的接続を維持しにくくなる。
【０００８】
そこで、本発明は、給電部に接続された状態を維持可能な血圧測定装置充電用コネクタを提供することを目的とする。
【課題を解決するための手段】
【０００９】
一態様によれば、手首に取り付けられる血圧測定装置に接続される血圧測定装置充電用コネクタであって、第１部材と、前記手首の周方向に倣って湾曲するとともに、一端と他端とが離間して形成された、前記血圧測定装置に装着されたカーラの内面周面に設けられたカフの内周面に当接する端面を有する突起が形成され、前記第１部材に対向する第２部材と、前記第１部材及び前記第２部材を回転可能に連結する回転軸と、前記第１部材及び前記第２部材を近接する方向に付勢する付勢部材とを具備するクリップと、前記カーラに設けられた給電端子に接続される、前記第１部材における前記第２部材側に設けられた端子と、を備える血圧測定装置充電用コネクタが提供される。
【００１０】
この態様によれば、突起によりカフの内周面を支持することで、コネクタをカーラに安定して保持することが可能となる。この為、接続端子が給電端子に接続された状態を維持することが可能となる。
【００１１】
上記一態様のコネクタにおいて、前記突起の端面は、前記カフの接触する面の当接する部位における接線方向に延びる平面、または、前記当接する部位に沿う曲面に構成される、血圧測定装置充電用コネクタが提供される。
【００１２】
この態様によれば、突起の端面は、カフの内周面の、当該端面が当接する部位における接線方向に延びる平面、または、当接する部位に沿う曲面に構成される。この為、突起がカフに面接触する、または広範囲が接触するので、コネクタをカーラに安定して保持することが可能となる。
【００１３】
上記一態様のコネクタにおいて、前記端子および前記突起は、前記第１部材及び前記第２部材の回転方向に対向する、血圧測定装置充電用コネクタが提供される。
【００１４】
この態様によれば、接続端子及び突起の間に狭持されるカフ及びカーラに回転モーメントが生じることを抑制できる。この為、コネクタをカーラに安定して保持することが可能となる。
【００１５】
上記一態様のコネクタにおいて、前記第１部材の前記第２部材側の面の、前記第１部材の中心を挟んで前記回転軸の反対側は、前記端子が前記給電端子に電気的に接続されたときに対向する前記カーラの外周面に沿う曲面に構成される、血圧測定装置充電用コネクタが提供される。
【００１６】
この態様によれば、第１突起をカーラの外面に接触させることで、コネクタのカーラへの装着作業時に、コネクタの回転軸側がカーラに干渉することを抑制できる。さらに、端面がカーラ及びカバーの外面に面接触することで、コネクタをカーラに安定して保持することが可能となる。
【００１７】
上記一態様のコネクタにおいて、前記第２部材は、前記カーラの幅方向の移動を規制する壁部を備える、血圧測定装置充電用コネクタが提供される。
【００１８】
この態様によれば、第２部材が、壁部を有することで、コネクタに対するカーラの、カーラの幅方向の移動を規制できるので、コネクタをケース側に移動するだけで、接続端子を給電端子に導くことが可能となる。
【００１９】
上記一態様のコネクタにおいて、前記第１部材に設けられ、前記端子を前記第２部材側に付勢するばねを備え、前記給電端子は、前記カーラの窪みに配置される、血圧測定装置充電用コネクタが提供される。
【００２０】
この態様によれば、接続端子が窪みに入ったときに、クリック感を生じさせることが可能となる。そして、このクリック感により、ユーザに、接続端子及び給電端子が接続されたことを認識させることが可能となる。
【発明の効果】
【００２１】
本発明によれば、給電部に接続された状態を維持可能な血圧測定装置充電用コネクタを提供することが可能となる。
【図面の簡単な説明】
【００２２】
【図１】本発明の一実施形態に係る血圧測定装置を示す側面図。
【図２】同血圧測定装置の構成を示す分解斜視図。
【図３】同血圧測定装置の構成を示す分解斜視図。
【図４】同血圧測定装置及びコネクタの構成を示す斜視図。
【図５】同血圧測定装置及び同コネクタが分離した状態を示す斜視図。
【図６】同血圧測定装置及び同コネクタの構成を示す断面図。
【図７】同血圧測定装置のカーラの構成を示す斜視図。
【図８】同コネクタの構成を示す斜視図。
【図９】同コネクタの構成を示す斜視図。
【図１０】同コネクタの構成を示す断面図。
【図１１】同コネクタの構成を一部切り欠いて示す断面図。
【図１２】同コネクタ、及び充電ケーブルの構成を示す斜視図。
【発明を実施するための形態】
【００２３】
以下、本発明の一実施形態に係る血圧測定装置１の一例について、図１乃至図１２を用いて以下例示する。
【００２４】
図１は、血圧測定装置１を示す側面図である。図２は、血圧測定装置１の構成を示す分解斜視図である。図３は、血圧測定装置１の構成を、図２とは異なる角度から見た状態を示す斜視図である。図４は、血圧測定装置１及び血圧測定装置充電用コネクタ２１０の構成を示す斜視図であり、血圧測定装置充電用コネクタ２１０が給電部８に接続された状態を示す斜視図である。図５は、血圧測定装置１及び血圧測定装置充電用コネクタ２１０が分離した状態を示す斜視図である。
【００２５】
図６は、血圧測定装置１及び血圧測定装置充電用コネクタ２１０の構成を示す断面図であり、血圧測定装置充電用コネクタ２１０が給電部８に接続された状態を示す断面図である。図７は、血圧測定装置１のカーラ５の構成を示す斜視図であり、具体的には、カーラ５に設けられた給電部８及びその近傍を示す斜視図である。
【００２６】
図８は、血圧測定装置充電用コネクタ２１０の構成を示す斜視図である。図９は、血圧測定装置充電用コネクタ２１０の構成を、図８とは異なる角度から見た状態を示す斜視図である。図１０は、血圧測定装置充電用コネクタ２１０の構成を示す断面図である。図１１は、血圧測定装置充電用コネクタ２１０の構成を一部切り欠いて示す側面図である。図１２は、血圧測定装置充電用コネクタ２１０、及び充電ケーブル２０５の構成を示す斜視図である。
【００２７】
血圧測定装置１は、生体に装着する電子血圧測定装置である。本実施形態においては、生体の手首２００に装着するウェアラブルデバイスの態様をもつ電子血圧測定装置を用いて説明する。血圧測定装置１は、充電ケーブル２０５、及び血圧測定装置充電用コネクタ２１０により電力供給部１８に給電を行う構成を有する。
【００２８】
図１乃至図５に示すように、血圧測定装置１は、装置本体３と、手首に装置本体３を固定するベルト４と、ベルト４及び手首の間に配置されるカーラ５と、押圧カフ７１、センシングカフ７３及び引張カフ７４を有するカフ構造体６と、カーラ５に設けられた給電部８と、を備えている。
【００２９】
装置本体３は、例えば、ケース１１と、表示部１２と、操作部１３と、ポンプ１４と、電力供給部１８と、制御基板２０と、を備えている。装置本体３は、ポンプ１４等によって、カフ構造体６に流体を供給する。
【００３０】
ケース１１は、外郭ケース３１と、外郭ケース３１の手首２００側とは反対側（外方側）の開口を覆う風防３２と、外郭ケース３１の内部の手首２００側に設けられた基部３３と、外郭ケース３１の手首２００側を覆う裏カバー３５と、を備えている。
【００３１】
外郭ケース３１は、円筒状に形成される。外郭ケース３１は、外周面の周方向で対称位置にそれぞれ設けられた一対のラグ３１ａと、２つの一対のラグ３１ａ間にそれぞれ設けられるバネ棒３１ｂと、を備えている。風防３２は、例えば、円形状のガラス板である。
【００３２】
裏カバー３５は、中央側が開口する環状に構成される。裏カバー３５は、外郭ケース３１の手首２００側の端部の外周縁側を覆う。このような裏カバー３５は、カーラ５と一体に組み合わされることで、中央の開口がカーラ５により覆われ、そしてカーラ５とともに外郭ケース３１の手首２００側の端部を覆う裏蓋を構成する。具体的には、裏カバー３５は、４つの第１締結部材３５ａによってカーラ５に固定されるとともに、４つの第２締結部材３５ｂによって外郭ケース３１の手首２００側の端部に固定される。裏カバー３５は、底部に設けられ、カーラ５に固定される第１締結部材３５ａを挿通する４つの孔部３５ｃと、外周部の４箇所が径方向に突出し、この突出した部位に設けられた外郭ケース３１に固定される第２締結部材３５ｂを挿通する４つの孔部３５ｄと、を有する。
【００３３】
表示部１２は、外郭ケース３１の基部３３上であって、且つ、風防３２の直下に配置される。表示部１２は、電気的に制御基板２０に接続される。表示部１２は、例えば、液晶ディスプレイ又は有機エレクトロルミネッセンスディスプレイである。表示部１２は、日時や最高血圧及び最低血圧などの血圧値や心拍数等の測定結果を含む各種情報を表示する。
【００３４】
操作部１３は、使用者からの指令を入力可能に構成される。例えば、操作部１３は、図１乃至図３に示すように、ケース１１に設けられた複数の釦４１と、釦４１の操作を検出するセンサ４２と、表示部１２又は風防３２に設けられたタッチパネルと、を備える。操作部１３は、使用者が操作することで、指令を電気信号に変換する。センサ４２及びタッチパネルは、電気的に制御基板２０に接続され、電気信号を制御基板２０へ出力する。
【００３５】
複数の釦４１は、例えば３つ設けられる。釦４１は、基部３３に支持されるとともに、外郭ケース３１の外周面から突出する。複数の釦４１及び複数のセンサ４２は、基部３３に支持される。タッチパネルは、例えば、風防３２に一体に設けられる。
【００３６】
ポンプ１４は、例えば圧電ポンプである。ポンプ１４は、空気を圧縮し、基部に一部が構成される流路部を介して圧縮空気をカフ構造体６に供給する。ポンプ１４は、電気的に制御基板２０に接続される。
【００３７】
図１乃至図４に示すように、ベルト４は、一方の一対のラグ３１ａ及びバネ棒３１ｂに設けられた第１ベルト６１と、他方の一対のラグ３１ａ及びバネ棒３１ｂに設けられた第２ベルト６２と、を備える。ベルト４は、カーラ５を介して手首２００に巻き付けられる。
【００３８】
第１ベルト６１は、所謂親と呼ばれ、第２ベルト６２と連結可能な帯状に構成される。第１ベルト６１は、図１乃至図３に示すように、ベルト部６１ａ及び尾錠６１ｂを有する。ベルト部６１ａは、帯状に構成される。ベルト部６１ａは、弾性変形可能な樹脂材料で形成される。また、ベルト部６１ａは、可撓性を有するとともに、ベルト部６１ａの長手方向の伸縮が抑制されるシート状のインサート部材を内部に有する。ベルト部６１ａは、一方の端部に形成され、ベルト部６１ａの長手方向に直交する第１孔部６１ｃ及び他方の端部に形成され、第１ベルト６１の長手方向に直交する第２孔部６１ｄを有する。
【００３９】
第１孔部６１ｃは、ベルト部６１ａの端部に設けられる。第１孔部６１ｃは、バネ棒３１ｂを挿入可能、且つ、バネ棒３１ｂに関して第１ベルト６１が回転可能な内径を有する。即ち、第１ベルト６１は、一対のラグ３１ａの間であって、且つ、バネ棒３１ｂに第１孔部６１ｃが配置されることで、外郭ケース３１に回転可能に保持される。
【００４０】
図１及び図３に示すように、第２孔部６１ｄは、ベルト部６１ａの先端に設けられる。第２孔部６１ｄは、尾錠６１ｂが取り付けられる。
【００４１】
図１及び図３に示すように、尾錠６１ｂは、矩形枠状の枠状体６１ｅと、枠状体６１ｅに回転可能に取り付けられたつく棒６１ｆと、を有する。枠状体６１ｅは、つく棒６１ｆが取り付けられた一辺が第２孔部６１ｄに挿入され、ベルト部６１ａに関して回転可能に取り付けられる。
【００４２】
第２ベルト６２は、所謂剣先と呼ばれ、枠状体６１ｅに挿入可能な幅を有する帯状に構成される。第２ベルト６２は、弾性変形可能な樹脂材料で形成される。また、第２ベルト６２は、可撓性を有するとともに、第２ベルト６２の長手方向の伸縮が抑制されるシート状のインサート部材を内部に有する。
【００４３】
また、第２ベルト６２は、図１及び図２に示すように、つく棒６１ｆが挿入される小孔６２ａを複数有する。また、第２ベルト６２は、一方の端部に設けられ、第２ベルト６２の長手方向に直交する第３孔部６２ｂを有する。第３孔部６２ｂは、バネ棒３１ｂを挿入可能、且つ、バネ棒３１ｂに関して第２ベルト６２が回転可能な内径を有する。即ち、第２ベルト６２は、一対のラグ３１ａの間であって、且つ、バネ棒３１ｂに第３孔部６２ｂが配置されることで、外郭ケース３１に回転可能に保持される。
【００４４】
このようなベルト４は、第２ベルト６２が枠状体６１ｅに挿入され、小孔６２ａにつく棒６１ｆが挿入されることで、第１ベルト６１及び第２ベルト６２が一体に接続され、外郭ケース３１とともに、手首２００の周方向に倣った環状となる。ベルト４は、手首２００の周方向に倣った環状となることで、カーラ５を押圧し、カーラ５を血圧測定装置１の装着者の手首の周方向に倣うように、弾性変形させる。
【００４５】
カーラ５は、図１乃至図５に示すように、手首２００の周方向に倣って湾曲する帯状に構成される。カーラ５は、一端と他端が離間して形成される。カーラ５は、例えば、一端側の外面が装置本体３の裏カバー３５に固定される。カーラ５は、一端及び他端が裏カバー３５よりも手首２００の一方の側方側に突出した位置に配置される。これにより、カーラ５は、血圧測定装置１を手首２００に装着したときに、一端及び他端が手首２００の側方に配置される。また、カーラ５は、所定の距離だけ離間して一端及び他端が隣接する。カーラ５は、例えば、樹脂材料で形成される。具体例として、カーラ５は、ポリプロピレンによって厚さが１ｍｍ程度に形成される。
【００４６】
具体例として、カーラ５は、手首の周方向に倣って湾曲する帯状に構成される。また、カーラ５は、一端側の手首２００の手の甲側に対向する位置に設けられ、裏カバー３５とともに裏蓋を構成する円板状のカバー部５ａ、カバー部５ａの周囲に設けられ、及び、外郭ケース３１及び裏カバー３５を固定する第１締結部材３５ａを移動可能な逃げ部５ｂを有する。カーラ５は、例えば、カバー部５ａ及びその隣接する部位が平板状に形成されるとともに、カバー部５ａよりも一端側及び他端側が所定の曲率で湾曲して形成される。そして、カーラ５は、カバー部５ａから一端までの長さが、カバー部５ａから他端までの長さよりも短く形成される。具体例として、カーラ５は、カバー部５ａから一端までの短手側が、手首の手の甲側に配置され、そして、カバー部５ａから他端までの長手側が、手首の手の甲側から一方の側方を通って手首２００の手の平側まで延びる。
【００４７】
また、図２に示すように、カーラ５は、一端及び他端が近接したときに、一端側の内周面側に他端が位置する形状に形成される。具体例として、カーラ５の手首２００の幅方向の幅は、カーラ５の手首２００の手の平側よりもカーラ５の手首２００の手の甲側が大きく設定される。そして、カーラ５は、手首２００の手の甲側の一端の曲率半径が手首２００の手の平側の他端の曲率半径よりも大きく設定される。このような構成により、カーラ５は、カーラ５の両端側が当接すると、一端よりも他端がカーラ５の内方に配置される。また、カーラ５は、カバー部５ａの一部、及び、カバー部５ａから一端側の外面、さらに言えば、カバー部５ａから延びる短手側の外面に、カバー部５ａに隣接して設けられた窪み５ｃが設けられる。
【００４８】
このようなカーラ５は、一端及び他端がベルト４の第２ベルト６２と対向する向きで外郭ケース３１に固定される。また、カーラ５は、少なくとも、手首２００の手の平側と対向する位置が、手首２００の手の平側に沿って周方向に沿って湾曲することで、手首２００の手の平側と対向するカフ構造体６を、手首２００の手の平側の形状に倣って湾曲させた状態で保持する。
【００４９】
また、カーラ５は、可撓性及び形状保持性を有する硬さを有する。ここで、可撓性とは、カーラ５にベルト４の外力が印加されたときに径方向に形状が変形することをいう。例えば、可撓性とは、ベルト４によってカーラ５が押圧されたときに、手首に近接するか、手首の形状に沿うか、又は、手首の形状に倣うように側面視の形状が変形することをいう。また、形状保持性とは、外力が印加されないときに、カーラ５が予め賦形された形状を維持できることをいう。例えば、形状保持性とは、本実施形態においてはカーラ５の形状が手首の周方向に沿って湾曲する形状を維持できることである。
【００５０】
カーラ５は、湾曲する外面に給電部８が設けられる。具体例として、カーラ５は、一端側の外面に、給電部８が設けられる窪み５ｃを有する。窪み５ｃは、裏カバー３５の下方から一端に向かって形成される。窪み５ｃは、設けられた給電部８がカーラ５の外面から突出しない深さ、換言すると、当該給電部８がカーラ５の外面よりも内面側に位置する深さに構成される。
【００５１】
カーラ５は、内周面にカフ構造体６が配置され、そして、カーラ５の内周面形状に沿ってカフ構造体６を保持する。具体例として、カーラ５は、押圧カフ７１及び引張カフ７４が内周面に配置され、カーラ５並びに押圧カフ７１及び引張カフ７４との間に設けられる接合層により、カフ構造体６が固定されることで、カフ構造体６を保持する。本実施形態においては、接合層は、接着剤や両面テープである。
【００５２】
図１、図２、及び図４に示すように、カフ構造体６は、押圧カフ７１と、背板７２と、センシングカフ７３と、引張カフ７４と、を備えている。また、カフ構造体６は、各構成同士、及び、カーラ５とカフ７１、７４を接合する接合層を備えている。カフ構造体６は、カーラ５に固定される。カフ構造体６は、押圧カフ７１、背板７２及びセンシングカフ７３が積層してカーラ５に配置され、引張カフ７４が押圧カフ７１、背板７２及びセンシングカフ７３と離間してカーラ５に配置される。
【００５３】
具体例として、カフ構造体６は、カーラ５の手首２００の手の平側の内周面に、カーラ５の内周面から手首２００側に向かって、押圧カフ７１、背板７２及びセンシングカフ７３の順に積層して固定される。また、カフ構造体６は、カーラ５の手首２００の手の甲側の内周面に引張カフ７４が配置される。カフ構造体６の各部材は、積層方向に隣接する部材に接合層によって固定される。
【００５４】
図５及び図７に示すように、給電部８は、配線部８ａと、給電端子８ｂと、カーラ５の窪み５ｃに配置された配線部８ａを覆うカバー８ｃと、を備えている。配線部８ａは、一端が給電端子８ｂに、他端が制御基板２０に接続される。給電端子８ｂは、例えば二つの円形状の端子により構成される。例えば、配線部８ａ及び給電端子８ｂは、ポリイミド等のベースフィルムに導電性金属膜等が設けられたＦＰＣ（Flexible printed circuits）等により形成される。
【００５５】
カバー８ｃは、窪み５ｃと同形状に形成され、窪み５ｃを覆うとともに、窪み５ｃに設けられたときに、上面が、カーラ５の短手側の外面と面一となる。カバー８ｃは、給電端子８ｂを露出する孔８ｄを有する。給電端子８ｂは、孔８ｄ内で、孔８ｄ縁から所定の深さ位置に配置される。
【００５６】
血圧測定装置充電用コネクタ２１０は、例えば、クリップ状に構成された本体２１１と、本体２１１に設けられた、給電端子８ｂに接続される接続端子２６０と、を備える。血圧測定装置充電用コネクタ２１０は、図１２に示すように、充電ケーブル２０５が着脱可能に接続される。充電ケーブル２０５は、例えば両端にＵＳＢコネクタが設けられたコネクタである。充電ケーブル２０５の一端は、血圧測定装置充電用コネクタ２１０に着脱可能に接続される。充電ケーブル２０５の他端は、ＡＣ充電器２０６に着脱可能に接続される。ＡＣ充電器２０６は、家庭用コンセントに接続される。
【００５７】
本体２１１は、第１部材２２０と、第１部材２２０に対向する第２部材２３０と、第１部材２２０及び第２部材２３０を回転可能に連結する回転軸２４０と、付勢部材２５０と、を備える。
【００５８】
第１部材２２０は、例えば一方向に長い矩形板状に構成される。第１部材２２０の、例えば一端部には、図１２に示すように、充電ケーブル２０５が着脱可能に接続される例えばＵＳＢコネクタ２２１が設けられる。
【００５９】
第１部材２２０の他端部２２２の第２部材２３０側の面２２３は、接続端子２６０が給電部８の給電端子８ｂに接触した状態で、カーラ５及びカバー８ｃの外面の、外郭ケース３１及び給電部８の間の領域に対向する。面２２３は、この対向する領域に沿う曲面に構成される。ここでいう、沿うとは、対向する領域の面と平行または略平行な面に構成されることを意味する。
【００６０】
第２部材２３０は、図４及び図５に示すように、カーラ５の幅方向でカーラ５の幅よりも広い板状に構成される。第２部材２３０の、第１部材２２０側の面２３１の、接続端子２６０と対向する位置に、突起２３２が形成される。
【００６１】
突起２３２は、第２部材２３０のカーラ５の幅方向で中央に配置される。突起２３２の端面２３３は、接続端子２６０が給電端子８ｂに接触している状態で、引張カフ７４の内周面に当接する。さらに、端面２３３は、引張カフ７４の内周面の端面２３３が当接する部位の接線方向に延びる平面、または、前記当接する部位に沿う曲面に構成される。
なお、突起２３２の端面２３３は、充電作業が行われるときの引張カフ７４の内周面の端面２３３が当接する部位の接線方向に延びる平面、または、前記当接する部位に沿う曲面に構成される。
本実施形態の血圧測定装置１では、一例として、血圧測定装置１がユーザから取り外され、引張カフ７４が膨張していない状態で電力供給部１８の充電作業が行われる。そして、突起２３２の端面２３２は、膨張していない状態の引張カフ７４の内周面に当接する。この為、突起２３２の端面２３２は、膨張していない状態の引張カフ７４の内周面の端面２３３が当接する部位の接線方向に延びる平面、または、前記当接する部位に沿う曲面に構成される。
【００６２】
また、第２部材２３０は、カーラ５の幅方向の両端に、ガイド壁部２３４を有する。ガイド壁部２３４は、第１部材２２０側に突出する。２つのガイド壁部２３４間の幅は、カーラ５の幅より大きい幅であって、カーラ５に対する血圧測定装置充電用コネクタ２１０の幅方向の移動を規制可能な幅を有する。ガイド壁部２３４の外面は、曲面に構成される。ガイド壁部２３４の外面の曲面は、ユーザが指で保持するときに持ちやすい曲面に構成される。
【００６３】
回転軸２４０は、第１部材２２０のＵＳＢコネクタ２２１側、及び第２部材２３０の突起２３２に対して他方側を回転可能に連結する。
【００６４】
第２部材２３０の回転軸２４０に対して反対側の一端から回転軸２４０までの長さは、接続端子２６０が給電部８の給電端子８ｂに接続された状態であってもカーラ５の先端が回転軸２４０に当接しない長さを有する。
【００６５】
付勢部材２５０は、第１部材２２０のＵＳＢコネクタ２２１の反対側の一端側、及び第２部材２３０の突起２３２側を近接する方向に付勢可能に構成される。なお、第１部材２２０のＵＳＢコネクタ２２１の反対側の一端、及び第２部材２３０の突起２３２側の一端は、双方ともに、血圧測定装置充電用コネクタ２１０がカーラ５に固定された状態において外郭ケース３１側の一端となる。付勢部材２５０は、例えば、回転軸２４０に設けられ、一端が第１部材２２０に支持され、他端が第２部材２３０に支持されるねじりバネである。
【００６６】
接続端子２６０は、給電端子８ｂと同数設けられ、給電端子８ｂと電気的に接続される。接続端子２６０は、第１部材２２０内で充電ケーブル２０５と電気的に接続される。
【００６７】
接続端子２６０は、柱状、例えばとしては円柱状に構成される。接続端子２６０は、第１部材２２０に、付勢部材２７０により支持され、第２部材２３０側の面２２４から突出する。面２２４は、面２２３を含む。接続端子２６０は、面２２４から第２部材２３０側に突出する。
【００６８】
付勢部材２７０は、接続端子２６０を、接続端子２６０を面２２４から突出する方向に付勢する。付勢部材２７０は、例えばばねである。接続端子２６０が押圧されて付勢部材２７０が圧縮されることで、第１部材２２０の面２２３に対する接続端子２６０の突出量が小さくなる。換言すると、接続端子２６０は、付勢部材２７０により、面２２４に対して進退可能に支持されるとともに第２部材２３０側に付勢される。
【００６９】
接続端子２６０は、第１部材２２０及び第２部材２３０の回転方向で突起２３２と対向する位置に配置される。本実施形態では具体的には、接続端子２６０の、回転軸２４０の中心から接続端子２６０の軸心までの距離は、回転軸２４０の中心から突起２３２の端面２３３の中心までの距離と同距離に設定される。
【００７０】
次に、血圧測定装置充電用コネクタ２１０を給電部８に接続する方法の一例を説明する。ユーザは、手首２００から取り外され、かつ、引張カフ７４、センシングカフ７３及び押圧カフ７１のそれぞれが膨張していない状態にある血圧測定装置充電用コネクタ２１０の第１部材２２０及び第２部材２３０のＵＳＢコネクタ２２１側を互いに近接する方向に押圧して、第１部材２２０及び第２部材２３０の接続端子２６０側の端部を離間させる。
【００７１】
次に、ユーザは、第１ベルト６１をめくることで、カーラ５に設けられた給電部８を露出させる。
【００７２】
次に、ユーザは、第１部材２２０の、ＵＳＢコネクタ２２１に対して反対側の端部の面２２３、及び接続端子２６０の先端を、カーラ５の外周面の給電部８より先端側に当接させる。このとき、接続端子２６０は、付勢部材２７０が圧縮されることで、初期位置に対して、第１部材２２０の面２２４からの突出量が小さくなる。
【００７３】
次に、ユーザは、面２２３をカーラ５の外周面に当接した状態で、血圧測定装置充電用コネクタ２１０を、ケース１１側に移動する。
【００７４】
血圧測定装置充電用コネクタ２１０がケース１１側に所定距離移動されると、第２部材２３０の２つのガイド壁部２３４間に、カーラ５及び引張カフ７４が収容される。２つのガイド壁部２３４間にカーラ５の一部が収容されることで、カーラ５に対する血圧測定装置充電用コネクタ２１０の、カーラ５の幅方向の移動方向が規制される。このように規制されることで、血圧測定装置充電用コネクタ２１０を移動させる方向に、接続端子２６０と給電端子８ｂとが対向する。
【００７５】
血圧測定装置充電用コネクタ２１０をさらにケース１１側に移動すると、接続端子２６０の先端部がカバー８ｃの孔８ｄに入る。接続端子２６０の先端部が孔８ｄに入ることで、接続端子２６０が給電端子８ｂに接触する。また、接続端子２６０の先端が孔８ｄに入ることでクリック感が生じる。
【００７６】
ユーザは、クリック感によって、接続端子２６０が給電端子８ｂに接続されたことを認識する。ユーザは、クリック感を得ると、血圧測定装置充電用コネクタ２１０の移動を停止し、第１部材２２０及び第２部材２３０の端部の押圧を解除する。
【００７７】
第１部材２２０及び第２部材２３０への押圧が解除されると、付勢部材２５０により、第２部材２３０が引張７４側に移動される。第２部材２３０は、引張カフ７４側に移動されると、突起２３２の端面２３３が、引張カフ７４の内周面に当接する。
【００７８】
上述したように本実施形態に係る血圧測定装置１によれば、突起２３２により引張カフ７４の内周面を支持することで、血圧測定装置充電用コネクタ２１０をカーラ５に安定して保持することが可能となる。この為、接続端子２６０が給電端子８ｂに接続された状態を維持することが可能となる。
【００７９】
さらに、突起２３２の端面２３３は、引張カフ７４の内周面の、端面２３３が当接する部位における接線方向に延びる平面、または、引張カフ７４の内周面の、端面２３３が当接する部位に沿う曲面に構成される。この為、突起２３２が引張カフ７４に面接触する、または、広範囲で接触するので、血圧測定装置充電用コネクタ２１０をカーラ５に安定して保持することが可能となる。
【００８０】
さらに、接続端子２６０及び突起２３２が第１部材２２０及び第２部材２３０の回転方向に対向する。この為、接続端子２６０及び突起２３２の間に狭持される引張カフ７４及びカーラ５に回転モーメントの発生を抑制できる。この為、血圧測定装置充電用コネクタ２１０をカーラ５に安定して保持することが可能となる。
【００８１】
さらに、回転軸２４０の中心から接続端子２６０の軸心までの距離、及び回転軸２４０の中心から突起２３２の中心までの距離が、同じ距離に設定されることで、接続端子２６０は、第１部材２２０及び第２部材２３０の回転方向で、突起２３２の中心に対向する。この為、接続端子２６０及び突起２３２の間に狭持される引張カフ７４及びカーラ５に回転モーメントの発生をより一層抑制できる。この為、血圧測定装置充電用コネクタ２１０をカーラ５に安定して保持することが可能となる。
【００８２】
さらに、第１部材２２０の外郭ケース３１側の一端が第２部材２３０側に突出しており、さらに、第１部材２２０の外郭ケース３１側の端部の第２部材２３０側の面２２３は接続端子２６０及び給電端子８ｂが接続されたときに対向するカーラ５及びカバー８ｃの外面に沿う形状に構成される。このため、第１部材２２０の外郭ケース３１側の一端をカーラ５の外面に接触させることで、血圧測定装置充電用コネクタ２１０のカーラ５への装着作業時に、血圧測定装置充電用コネクタ２１０の回転軸２４０側がカーラ５に干渉することを抑制できる。さらに、面２２３がカーラ５及びカバー８ｃの外面の対向する領域に沿う曲面に構成されることで、血圧測定装置充電用コネクタ２１０をカーラ５に安定して保持することが可能となる。
【００８３】
さらに、第２部材２３０が、ガイド壁部２３４を有することで、血圧測定装置充電用コネクタ２１０に対するカーラ５の、カーラ５の幅方向の移動を規制できるので、血圧測定装置充電用コネクタ２１０をケース１１側に移動するだけで、接続端子２６０を給電端子８ｂが収容される窪みに導くことが可能となる。
【００８４】
さらに、接続端子２６０が、付勢部材２７０により支持されることで、接続端子２６０が孔８ｄに入ったときに、クリック感を生じさせることが可能となる。そして、このクリック感により、ユーザに、接続端子２６０及び給電端子８ｂが接続されたことを認識させることが可能となる。
【００８５】
さらに、第２部材２３０の外郭ケース３１側の一端から回転軸２４０までの長さは、カーラ５及びセンシングカフ７４が第１部材２２０及び第２部材２３０間に配置され、かつ、接続端子２６０が給電端子８ｂに接続された状態であっても、回転軸２４０に当接しない長さを有する。この為、血圧測定装置充電用コネクタ２１０を給電部８に取り付ける作業において、カーラ５が血圧測定装置充電用コネクタ２１０と干渉することがないので、血圧測定装置充電用コネクタ２１０をスムーズに給電端子８ｂに取り付けることが可能となる。
【００８６】
本発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。
【符号の説明】
【００８７】
１…血圧測定装置
３…装置本体
４…ベルト
５…カーラ
５ａ…カバー部
５ｂ…逃げ部
５ｃ…窪み
５ｅ…螺子孔
６…カフ構造体
７…流体回路
８…給電部
１１…ケース
１２…表示部
１３…操作部
１４…ポンプ
１８…電力供給部
２０…制御基板
３１…外郭ケース
３１ａ…ラグ
３１ｂ…バネ棒
３２…風防
３３…基部
３５…裏カバー
３５ａ…第１締結部材
３５ｂ…第２締結部材
３５ｃ…孔部
３５ｄ…孔部
４１…釦
４２…センサ
４３…タッチパネル
６１…第１ベルト
６１ａ…ベルト部
６１ｂ…尾錠
６１ｃ…第１孔部
６１ｄ…第２孔部
６１ｅ…枠状体
６１ｆ…つく棒
６２…第２ベルト
６２ａ…小孔
６２ｂ…第３孔部
７１…押圧カフ
７３…センシングカフ
７４…引張カフ（カフ）
２００…手首
２０５…充電ケーブル
２０６…ＡＣ充電器
２１０…血圧測定装置充電用コネクタ
２１１…本体
２２０…第１部材
２２１…ＵＳＢコネクタ
２３０…第２部材
２３１…面
２３２…突起
２３３…端面
２３４…ガイド壁部
２４０…回転軸
２５０…付勢部材
２６０…接続端子
２７０…付勢部材
【図１】
2020103633.tif 000003
【図２】
2020103633.tif 000004
【図３】
2020103633.tif 000005
【図４】
2020103633.tif 000006
【図５】
2020103633.tif 000007
【図６】
2020103633.tif 000008
【図７】
2020103633.tif 000009
【図８】
2020103633.tif 000010
【図９】
2020103633.tif 000011
【図１０】
2020103633.tif 000012
【図１１】
2020103633.tif 000013
【図１２】
2020103633.tif 000014